(57)【要約】【課題】芳香材料を収納する容器が高温になったときに人が触れないようにし安全性を高めること。【解決手段】上方に芳香材料を投入する容器１３と、容器１３を加熱する加熱体１０を具備する本体５０と、容器１３を覆う開口孔１５を有する保護カバー１４とを備え、本体５０に保護カバー１４を係合により取付けることで、芳香材料を加熱する際に高温になる容器１３を使用者が不用意に触れることを防止できる。【選択図】　図１
2004129920.tif 000002
【特許請求の範囲】
【請求項１】
芳香材料を収納する容器と、前記容器を加熱する加熱体を具備する本体と、前記容器を覆う開口孔を有する保護カバーとを備えた芳香器。
【請求項２】
芳香材料を収容する容器と、前記容器を加熱する加熱体を保持する上枠ユニットを有する本体と、前記容器と前記上枠ユニットを覆う開口孔を有する保護カバーとを備えた芳香器。
【請求項３】
保護カバーの所定の個所のみに開口孔を設ける構成とした請求項１または２に記載の芳香器。
【請求項４】
保護カバーは本体に着脱可能に係合する構成とした請求項１または２に記載の芳香器。
【請求項５】
保護カバーに設けたセット孔並びに前記セット孔の外側に設けた解除レバーと、上枠ユニットに設けた固定軸並びに前記固定軸を外側に付勢する付勢手段とよりなり、本体と前記保護カバーとの係合は前記固定軸を前記セット孔に挿入することにより行い、係合の解除は前記解除レバーで前記固定軸を押圧し、前記セット孔より外すことにより行う構成とした請求項４記載の芳香器。
【請求項６】
固定軸の先端にセット孔に挿入しやすくするための挿入用傾斜部およびセット孔より外しやすくするための取外し用傾斜部の少なくともどちらか一方を設ける構成とした請求項５記載の芳香器。
【請求項７】
固定軸を形状記憶合金バネで付勢する構成とした請求項５記載の芳香器。
【請求項８】
本体を透明または半透明材料より構成するとともに、前記本体内に前記透明または半透明材料を照射する光源を設ける構成とした請求項１ないし７のいずれか１項に記載の芳香器。
【発明の詳細な説明】
【０００１】
【発明の属する技術分野】
本発明は、香りを発する被加熱材料を加熱する熱源を備えた、芳香器に関するものである。
【０００２】
【従来の技術】
従来、この種の芳香器としては被加熱材料を加熱する加熱装置が取付けられた容器を有する芳香器が知られている（例えば、特許文献１参照）。
【０００３】
【特許文献１】
登実第３０３７６２５号公報
【０００４】
【発明が解決しようとする課題】
しかしながら、前記従来の芳香器では、被加熱材料から芳香を発生させるため容器を高温に加熱する。このとき、使用者が不用意に高温部に触れたり、なにかの拍子で芳香器が倒れたとき、これを起こそうとして容器を摘んだりする恐れがあった。すると、火傷したり、手を引っ込めたとき何か物にあたり怪我したり物を破損したりしてしまうという問題があった。
【０００５】
本発明は、前記従来の課題を解決するもので、芳香材料を収納する容器が高温になったときに人が触れないようにし安全性を高めた芳香器を提供することを目的とする。
【０００６】
【課題を解決するための手段】
前記従来の課題を解決するために、本発明の芳香器は、芳香材料を収納した容器を覆う開口孔を有する保護カバーを本体に設ける構成とした。この構成により、保護カバーがあるので高温の容器に直接ふれないようにすることができる。また本体と保護カバーとを係合することにより、芳香器が倒れたときでも容器に触れないようにすることができる。
【０００７】
【発明の実施の形態】
請求項１に記載の発明は、芳香材料を収納する容器と、前記容器を加熱する加熱体を具備する本体と、前記容器を覆う開口孔を有する保護カバーとを備えたことにより、芳香材料を加熱する際に使用者が不用意に高温の容器に触れることを防ぐことができ安全性をたためることができる。
【０００８】
請求項２に記載の発明は、芳香材料を収容する容器と、前記容器を加熱する加熱体を保持する上枠ユニットを有する本体と、前記容器と前記上枠ユニットを覆う開口孔を有する保護カバーとを備えることにより、芳香材料を加熱する際に熱伝導により高温になる上枠ユニットを保護カバーで覆うことで、使用者が不用意に上枠ユニットに触れることを防止することができる。
【０００９】
請求項３に記載の発明は、特に、請求項１または２に記載の保護カバーを所定の個所のみに開口孔を設ける構成としたことにより特定の方向の匂いを強くすることができる。
【００１０】
請求項４に記載の発明は、特に、請求項１または２に記載の保護カバーを本体に着脱可能に係合する構成としたことにより、使用時には本体と保護カバーとをしっかり係合しておくことができるので、万一芳香器が転倒しても保護カバー、容器および本体がばらばらになることがないため高温の容器に触れることがなく安全性を高めるとともに、芳香材料を加熱し香りと同時に発生にする成分が付着して保護カバー内面が汚れても容易に洗浄することができ利便性がよくなる。
【００１１】
請求項５に記載の発明は、特に、請求項４に記載の構成において、保護カバーに設けたセット孔並びに前記セット孔の外側に設けた解除レバーと、上枠ユニットに設けた固定軸並びに前記固定軸を外側に付勢する付勢手段とよりなり、本体と前記保護カバーとの係合は前記固定軸を前記セット孔に挿入することにより行い、係合の解除は前記解除レバーで前記固定軸を押圧し、前記セット孔より外すことにより行う構成としたことにより、使用者は必要な時に容易にかつ安全に保護カバーを本体から取り外すことができる。
【００１２】
請求項６に記載の発明は、特に、請求項５に記載の固定軸の先端にセット孔に挿入しやすくするための挿入用傾斜部およびセット孔より外しやすくするための取外し用傾斜部の少なくともどちらか一方を設ける構成としたにより、装着や離脱が容易となり利便性がよくなる。
【００１３】
請求項７に記載の発明は、特に、請求項５に記載の固定軸を形状記憶合金バネで付勢する構成としことにより、装着や離脱が容易となり利便性がよくなる。
【００１４】
請求項８に記載の発明は、特に、請求項１〜７のいずれか１項に記載の構成において、本体を透明または半透明材料より構成するとともに、前記本体内に前記透明または半透明材料を照射する光源を設ける構成とした。この構成により、香りのみならず光による幻想を楽しむことができる。
【００１５】
【実施例】
以下本発明の実施例１について図面を参照して説明する。
【００１６】
（実施例１）
図１は本発明の実施例１における芳香器の断面図、図２は芳香器の外観組み立て斜視図であり、図３は同芳香器の保護カバーを係合するときの状態を示す要部断面図、図４は同芳香器の保護カバーの係合を解除するときの状態を示す要部断面図である。
【００１７】
図２に示すように本実施例の芳香器は本体５０と、本体５０の上部に設けた芳香材料を収納する容器１３とこの容器１３を覆う保護カバー１４とより構成している。なお、図における外形は約四角形であるが、これに限定されるものではなく、円形や５角形または６角形などの多角形であっても良い。以下、本実施例の芳香器の構成について説明する。
【００１８】
図１において、１は上枠ユニットで上枠２と加熱体ユニットと３より形成している。加熱体ユニット３は加熱体枠４に設けた溝５にはめ込んだパッキン６を介して設けた加熱板７上に、上放熱板８と下放熱板９に挟み込んだ加熱体１０を配置した構成である。加熱体１０は加熱体枠４に係合して取付けられている加熱体カバー１２によって付勢されるバネ１１により下放熱板９を加熱板７側に押しつけることで固定している。１３は緑茶、紅茶等の芳香材料である茶葉などを入れる底面が平らな容器で、加熱板７上に配置される。このとき、容器１３の底面が平らなため、加熱板７との接触面積が大きくなり効率的に加熱される。１４は保護カバーで複数の開口孔１５を有すると共に上枠２を覆うように配置されている。
【００１９】
また、開口孔１５は所定の場所のみに設けるようにすることにより、匂いの吹出し方向を規制する事ができるため、環境によっては効果的に匂いを拡散させることができる。なお、５１は保護カバー１４に設けたリブで上枠２の上面に当設されている。
【００２０】
本体５０と保護カバー１４との係合について説明する。本体５０と保護カバー１４とを着脱可能に係合する方法としては、一方をネジきりしビスで留める方法、係合部を設けビスとネジで係合する方法、嵌合部を設け嵌合する方法、係合補助材を用い両者を挟み込む等の方法で係合する方法など種々の方法がある。以下に実用的な係合方法について説明する。
【００２１】
図３において、１６は固定軸で、上枠２に弾性部材であるバネ１７により保護カバー１４に設けたセット孔１８を通過する方向、すなわち、矢印で示す方向に付勢力Ｆａで付勢されている。この固定軸１６により保護カバー１４は、上枠２に固定されることになる。この他弾性部材としてはゴムなどがある。１９ａ、１９ｂはそれぞれ固定軸１６の先端に設けた挿入用傾斜部および取外し用傾斜部である。これらの傾斜部は必ずしも必要でないが、設けることによりセット孔１８への挿入または取出しがより容易に行える。
【００２２】
また、２０は保護カバー１４に設けた解除レバーであり、図４に示す様に解除レバー２０を作動させると、回転軸２１を中心に回転し、固定軸１６を付勢力Ｆａの反対方向に押し込むことができる。
【００２３】
なお、本実施例では本体５０と保護カバー１４との係合を２ヶ所で行っている。これは芳香器の大きさにもよるが、通常の大きさでは片手で２ヶ所の係合部分を挟み込み、係合したり、係合を解除したりすることができるからである。
【００２４】
以下、光源を含む本体構成について説明する。支柱部２２は上方に設けた腕部２３を加熱体枠４の嵌合孔部２４に取付けることで、上枠ユニット１に係合している。
【００２５】
また、支柱部２２は制御ユニット２５によって点滅を制御されるＬＥＤ等の光源２６を囲う透明または半透明材料の支柱２７と、前記制御ユニット２５を収納可能な制御ユニット収納部２８より構成している。
【００２６】
また、２９はネジ等の固定部材３０を取付けるボスである。なお、本実施例１では、光源を覆う光源カバー３１と支柱部２２とを一体として構成している。
【００２７】
３２は支柱部２２の外側を囲う透明または半透明材料からなる外枠で内面に微細な凹凸加工であるシボ加工を行っている。これにより光を拡散するとともに内部を見えないようにしている。外枠３２の上方の上渕部３３は上枠ユニット１と部分的に接触しることで上開口孔３４を形成する。
【００２８】
また、外枠３２の底面側開口部を覆う下枠ユニット３５を下方の下渕部３６に配置している。下枠ユニット３５は下枠３７と下枠カバー３８により構成しており、その内部には制御ユニット２５上に搭載されたスイッチ３９のスイッチ操作部４０を操作するレバー４１の摺動するレバー摺動部４２が設けられている。レバー４１は第１の付勢部材４３により、スイッチ操作部４０を解放しスイッチ３９を「開」の状態にし、加熱体１０への通電を遮断する側に付勢されている。また、レバー４１の内部には、補助レバー４４をスイッチ操作部方向に付勢する第２の付勢部材４５が収納されている。４６は補助レバー４４をレバー４１に固定するＥリングである。４７はレバー摺動部４２内に設けられたレバーストッパーである。５２は下枠３７に設けた下開口孔であり、この下開口孔５４より入った空気は上開口孔３４より外部に出ることにより熱が本体５０にこもるのを防いでいる。
【００２９】
固定部材３０は下枠３７の貫通孔ａ４８と下枠カバー３８の貫通孔ｂ４９を通過させ支柱部２２のボス２９に固定される。このように、外枠３２を上枠ユニット１と下枠ユニット３５で挟持することで、本実施例の芳香炉の本体５０を構成している。
【００３０】
以上のように構成された芳香器について、以下、その動作を説明する。
【００３１】
芳香材料を加熱し香りを楽しむ場合は、容器１３に芳香材料であるお茶の葉を投入し、上枠ユニット１内の加熱板７上にセットする。次に、保護ガード１４を上枠２上に設置するために上方から押し込む。このとき、固定軸１６は矢印で示すバネ１７の付勢方向とは反対方向に付勢力Ｆａよりも大きな加重が加わり、付勢方向とは反対側に移動を開始する。
【００３２】
また、固定軸１６の先端に挿入用傾斜部１９ａが設けられているため保護ガード１４を上方から容易に押さえ込むことができる。固定軸１６の部分がセット孔１８の位置に達すると固定軸１６に加わる付勢方向とは反対方向の応力がなくなるため、固定軸１６はバネの付勢力Ｆａにより保護ガード１４のセット孔１８を貫通し、それにより保護ガード１４を本体５０に固定することができる。この後、操作パネル５１の操作部ａ５２を選択すると、加熱体１０が発熱を開始すると同時に、光源２６の発光が行われこの発光具合は、透明部材である光源カバー２８、支柱２７、外枠３２を介して外部より見ることができる。これにより、香りと光の両方を楽しむことができる。勿論、香りだけを楽しむようにしても良い。
【００３３】
通電中は、容器１３に投入したお茶の葉からの匂いを抽出するための設定温度約２２０℃で、加熱体１０は発熱を続けるために、容器１３は高温になっている。また、加熱体ユニット３からの熱伝導により、上枠ユニット１も高温になる。これらの高温部を保護カバー１４で覆うことで、使用者が不用意に触れることを防止することができる。
【００３４】
また、本実施例では本体５０と保護カバー１４とがしっかり係合しているため、何らかの事情で芳香器が倒れたとしても、本体５０、容器１３、保護カバーがばらばらになることはない。したがって、ばらばらになった高温の容器１３をうっかり素手でつまみ上げたりすることがなくなり安全性を高めることができる。
【００３５】
使用終了後、容器１３に投入したお茶を廃棄するために保護カバー１４の解除レバー２０を作動させる。図４に示すように固定軸１６を付勢力Ｆａの方向と反対方向に押し込みながら、上方に保護カバー１４を持ち上げると固定軸１６先端の取外し用傾斜１９ｂを乗り越え、固定軸１６はセット孔１８から外れる。これにより、保護カバー１４を外すことができる。本実施例では、保護カバー１４の解除レバー２０は２箇所設置しているが、１ヵ所でも同様の取外し方は可能である。
【００３６】
保護カバー１４の開口孔１５の近傍には香り抽出時に発生したカフェイン等の物質が白く析出される。この析出される成分は使用毎に蓄積されやがて、開口孔１５の開口面積を小さくし香り成分の放出の弊害となるが、本実施例では、保護カバー１４を取外し、水洗い等で析出物を取り除くことができるため、衛生的で、香り放出性能を維持することができる。
【００３７】
（実施例２）
図５は本発明の実施例２における芳香器の保護カバーを係合する前の状態を示す要部断面図、図６は同芳香器の保護カバーを係合した後の状態を示す要部断面図、図７は同芳香器の保護カバーの係合を解除するときの状態を示す要部断面図であり、図８は同芳香器の転倒時の状態を示す断面図である。
【００３８】
なお、本実施例の基本構成は実施例１と同じなので異なる点を中心に説明する。また、実施例１と同じ機能には同じ符号を付し、その説明は省略する。
【００３９】
本実施例が実施例１と異なる点は、実施例で本体５０と保護カバー１４との係合において弾性部材であるばねを用いたのに対し、本実施例では形状記憶合金バネを用いた点である。以下、本実施例について図面を用いて説明する。
【００４０】
図５において、上枠２に設けられた固定軸１６は、バネ付勢板６０に取付けられた弾性部材であるバネ６１により矢印で示すように本体５０の内部方向に作用する付勢力Ｆｂにより本体５０内に収納されている。６２は形状記憶合金バネでバネ付勢板６０を介してバネ６１の反対側に設置されている。
【００４１】
形状記憶合金バネ６２が作動すると、図６に示すようにバネ６１が圧縮され、矢印で示すように保護カバー１４に設けたセット孔１８に固定軸１６が挿入するように付勢力Ｆｄが働く。この固定軸１６の動作により、保護カバー１４は上枠２に固定されることになる。１９ａおよび１９ｂはそれぞれ固定軸１６の先端に設けた挿入用傾斜部および取外し用傾斜部である。
【００４２】
また２０は保護カバー１４に設けた解除レバーであり、図７に示す様に解除レバー２０を作動させると、回転軸２１を中心に回転し、固定軸１６を付勢力Ｆｄの反対方向に押し込むことができる。これにより本体５０と保護カバー１４との係合を解除することができる。
【００４３】
以上のように構成された芳香器について、以下、その動作を説明する。以上の構成において、芳香材料を加熱し香りを楽しむ場合の動作を説明する。容器１３に芳香材料であるお茶の葉を投入し、上枠ユニット１内の加熱板７上にセットする。次に、保護カバー１４を上枠２上に設置する。保護カバー１４はリブ５１により上枠２上により高さ方向の位置を規制されている。
【００４４】
通電を開始すると、容器１３に投入したお茶の葉からの匂いを抽出するための設定温度約２２０℃で、加熱体１０は発熱を続けるために、容器１３は高温になっている。また、外枠３２内の温度も上昇し、やがて図６に示すように形状記憶合金バネ６２が作動し固定軸１６の動作により、保護カバー１４は上枠２に固定される。この状態で使用中に芳香器が不用意に転倒した場合は、図８に示すようにレバー４１が第１の付勢部材４３により、スイッチ操作部４０を解放しスイッチ３６を「開」の状態にし、加熱体１０の通電を止める安全装置が働くと同時に、高温に加熱された容器１３が、保護カバー１４と上枠２との間より外へ放出されないため実施例１と同様に不用意に触れることを防止することができる。
【００４５】
使用終了後、容器１３、上枠ユニット１、外枠３２内の温度が低下すると、図５に示すように、バネ６１の付勢力Ｆｂにより固定軸１６は、本体５０内に収納され、保護カバー１４のセット孔１８から外れ、保護カバー１４を外すことができる。このように、容器１３、上枠ユニット１、外枠３２が冷めてから保護カバー１４を外せるようにしたため、安全性を向上させることができる。
【００４６】
また、容器１３、上枠ユニット１、外枠３２内の温度が充分冷めない内に意図して保護カバー１４を外す場合は、図７に示すように保護カバー１４の解除レバー２０作動させ、固定軸１６を付勢力Ｆｄの反対方向に押し込みながら、上に保護カバー１４を持ち上げると固定軸１６先端の取外し用傾斜部１９ｂを乗り越えると固定軸１６は、保護カバー１４のセット孔１８から外れ、保護カバー１４を外すことができる。
【００４７】
本実施例２では、保護カバー１４の解除レバー２０は２ヶ所設置しているが、１ヵ所でも同様の取外し方は可能であることは言うまでもない。
【００４８】
また、実施例１と同様に光源を点灯することにより、匂いと光とを楽しむことができる。
【００４９】
なお、実施例１および２では本体と保護カバーとを係合した場合について述べたが、本体に保護カバーを載置するだけでも使用中に高温の容器に直接触れることがなくなるため、安全性は数段によくなる。ただし、何らかの事情で転倒した場合は先に述べたように容器が飛び出す恐れがあるため注意が必要である。
【００５０】
なお、実施例１および２では本体の下部に光源を設け、匂いと光の両方を楽しむ構成を示したが、匂いだけでよい場合は光源は不必要となるため設ける必要はなくなる。
【００５１】
また、本体と保護カバーとの係合部を２ヶ所設けた場合を説明したが、これに限定されるものではない。ただし、１ヶ所の場合は係合の安定性を欠くため、点灯時に係合が外れやすいため注意が必要となる。また、３ヶ所以上の場合は、係合は充分であるが係合を解除するのが面倒となり利便性が悪くなる。
【００５２】
【発明の効果】
以上述べたように、請求項１〜８に記載の発明によれば、芳香材料を収納する容器が高温になったときに人が触れないようにし安全性を高めることができる。
【図面の簡単な説明】
【図１】本発明の実施例１における芳香器の断面図
【図２】同芳香器の外観組み立て斜視図
【図３】同芳香器の保護カバーを係合するときの状態を示す要部断面図
【図４】同芳香器の保護カバーの係合を解除するときの状態を示す要部断面図
【図５】本発明の実施例２における芳香器の保護カバーを係合する前の状態を示す要部断面図
【図６】同芳香器の保護カバーを係合した後の状態を示す要部断面図
【図７】同芳香器の保護カバーの係合を解除するときの状態を示す要部断面図
【図８】同芳香器の転倒時の状態を示す断面図
【符号の説明】
１　上枠ユニット
１０　加熱体
１３　容器
１４　保護カバー
１５　開口孔
１６　固定軸
１７　バネ（付勢手段）
１８　セット孔
１９ａ　挿入用傾斜部
１９ｂ　取外し用傾斜部
２０　解除レバー
２６　光源
５０　本体
６２　形状記憶合金バネ（付勢手段）
【図１】
2004129920.tif 000003
【図２】
2004129920.tif 000004
【図３】
2004129920.tif 000005
【図４】
2004129920.tif 000006
【図５】
2004129920.tif 000007
【図６】
2004129920.tif 000008
【図７】
2004129920.tif 000009
【図８】
2004129920.tif 000010